(57)【特許請求の範囲】
【請求項１】
電源電圧を所定の出力電力に変換して負荷に出力する電力変換部と；
動作電圧が異なる複数の動作部を備えた制御部と；
一の出力端子と、他の出力端子となる少なくとも１つの中間タップとを有する巻線を備え電源電圧を変換する降圧チョッパ回路であり前記一の出力端子からの出力電圧および他の出力端子からの前記出力電圧より低い出力電圧を前記制御部の各動作部に出力する補助電源部と；
前記他の出力端子から前記動作部へと出力される出力電圧を降圧する電圧レギュレータと；
を具備していることを特徴とする電源装置。
【請求項２】
電源電圧を所定の出力電力に変換して負荷に出力する電力変換部と；
動作電圧が異なる複数の動作部を備えた制御部と；
一の出力端子を有する一次巻線およびこの一次巻線と異なる巻数に設定されこの一次巻線と磁気結合され他の出力端子を有する二次巻線を備え電源電圧を変換する降圧チョッパ回路であり前記一の出力端子からの出力電圧および前記他の出力端子からの前記出力電圧より低い出力電圧を前記制御部の各動作部に出力する補助電源部と；
前記他の出力端子から前記動作部へと出力される出力電圧を降圧する電圧レギュレータと；
を具備していることを特徴とする電源装置。
【請求項３】
電圧レギュレータの入力端子側と出力端子側との電圧差は、補助電源部の一の出力端子からの出力電圧と前記補助電源部の他の出力端子からの出力電圧との差よりも小さい
ことを特徴とする請求項１または２記載の電源装置。
【請求項４】
制御部は、
電力変換部を制御する一の動作部である変換制御部と、
この変換制御部よりも動作電圧が低く、この変換制御部を制御する他の動作部である状態制御部とを備え、
補助電源部は、電源電圧の供給が継続しているときには前記状態制御部に対する出力を維持する
ことを特徴とする請求項１ないし３いずれか一記載の電源装置。
【発明の詳細な説明】
【技術分野】
【０００１】
本発明の実施形態は、動作電圧が異なる複数の動作部を備えた制御部を有する電源装置に関する。
【背景技術】
【０００２】
従来、例えばＬＥＤなどの固体光源を負荷とする電源装置は、交流または直流電源を整流回路で整流し、整流した電源電圧を電力変換部で所定の直流電圧に変換して固体光源に供給し、この固体光源を点灯させている。
【０００３】
このような電源装置の電力変換部として、この電力変換部の動作を制御する駆動回路(制御ＩＣ)と、この駆動回路の動作を制御して電源装置全体の動作と待機とを設定する制御回路(マイコン)とを備えるものがある。これら駆動回路と制御回路とは、電源となる電圧が異なっているため、補助電源部から出力される出力電圧を、例えば駆動回路用との電圧とし、制御回路用にはこの出力電圧を電圧レギュレータなどによって降圧することで供給している。そのため、駆動回路と制御回路との動作電圧差が大きいほど、電圧レギュレータでの電力損失が大きくなる。
【先行技術文献】
【特許文献】
【０００４】
【特許文献１】特開２０１２−９９３３４号公報
【発明の概要】
【発明が解決しようとする課題】
【０００５】
本発明が解決しようとする課題は、電力損失を抑制した電源装置を提供することである。
【課題を解決するための手段】
【０００６】
実施形態の電源装置は、電源電圧を所定の出力電力に変換して負荷に出力する電力変換部を有する。また、この電源装置は、動作電圧が異なる複数の動作部を備えた制御部を有する。さらに、この電源装置は、一の出力端子と、他の出力端子となる少なくとも１つの中間タップとを有する巻線を備え電源電圧を変換する降圧チョッパ回路であり一の出力端子からの出力電圧および他の出力端子からの前記出力電圧より低い出力電圧を制御部の各動作部に出力する補助電源部を有する。また、この電源装置は、他の出力端子から動作部へと出力される出力電圧を降圧する電圧レギュレータを有する。
【０００７】
また、実施形態の電源装置は、電源電圧を所定の出力電力に変換して負荷に出力する電力変換部を有する。また、この電源装置は、動作電圧が異なる複数の動作部を備えた制御部を有する。さらに、この電源装置は、一の出力端子を有する一次巻線およびこの一次巻線と異なる巻数に設定されこの一次巻線と磁気結合され他の出力端子を有する二次巻線を備え電源電圧を変換する降圧チョッパ回路であり一の出力端子からの出力電圧および他の出力端子からの前記出力電圧より低い出力電圧を制御部の各動作部に出力する補助電源部を有する。また、この電源装置は、他の出力端子から動作部へと出力される出力電圧を降圧する電圧レギュレータを有する。
【発明の効果】
【０００８】
本発明によれば、補助電源部から互いに異なる複数の出力電圧を制御部の各動作部に出力することで、電圧レギュレータなどによる降圧率を下げることができ、電力損失を抑制することが期待できる。
【図面の簡単な説明】
【０００９】
【図１】第１の実施形態の電源装置を示す回路図である。
【図２】第２の実施形態の電源装置を示す一部の回路図である。
【発明を実施するための形態】
【００１０】
以下、第１の実施形態の構成を図１を参照して説明する。
【００１１】
図１において、10は電源装置であり、この電源装置10は、負荷11として例えば直列に接続された複数の固体光源であるＬＥＤ12を点灯させるものである。この電源装置10は、直流または交流の外部電源、本実施形態では交流電源ｅが入力されるフィルタ回路14、フィルタ回路14に接続されて交流電源ｅを整流する整流平滑回路15、整流平滑回路15で整流平滑された電源電圧を、ＬＥＤ12を点灯させる所定の出力電力に変換する電力変換部としての主回路である電力変換回路16、この電力変換回路16の出力部であってＬＥＤ12が接続される出力部17、電力変換回路16の動作を制御する一の動作部としての変換制御部である第１の制御回路18およびこの第１の制御回路18の動作を制御する他の動作部としての状態制御部である第２の制御回路19を有する制御部20、および、この制御部20に電力を供給する補助電源部としての補助電源回路21を備えている。
【００１２】
フィルタ回路14は、ノイズフィルタ回路、すなわち雑音防止回路(雑防回路)とも呼ばれるもので、例えばヒューズ、コンデンサ、コモンモードチョークおよびコンデンサによって構成された既知のラインフィルタである。
【００１３】
整流平滑回路15は、全波整流器などの整流素子および平滑コンデンサなどの平滑素子を備えている。
【００１４】
電力変換回路16は、例えばスイッチング素子を備えた降圧チョッパ回路であり、出力部17のＬＥＤ12と電気的に接続されている。
【００１５】
第１の制御回路18は、電力変換回路16のスイッチング素子のスイッチングを制御することで電力変換回路16から負荷11への出力電力を制御するもので、動作電圧が例えば一の(第１の)動作電圧である例えば１５Ｖの制御ドライバＩＣなどが用いられる。
【００１６】
第２の制御回路19は、第１の制御回路18の動作と停止とを制御することで、電源装置10全体の状態、すなわち動作と停止とを切り換えるように制御するものである。すなわち、この第２の制御回路19により第１の制御回路18を停止させた状態では、電源装置10が待機モードとなるように設定されている。本実施形態では、この第２の制御回路19は、動作電圧が一の動作電圧よりも低い他の(第２の)動作電圧である例えば５Ｖ以下のマイコンなどが用いられる。
【００１７】
補助電源回路21は、制御部20へと互いに異なる複数、本実施形態では２つの出力電圧を出力するもので、整流平滑回路15の高電位側の出力端に接続されており、本実施形態では制御素子25を備えた降圧チョッパ回路である。すなわち、制御素子25に対して、巻線であるトランスＴが接続され、このトランスＴの一端T1および他端T2にダイオードD1のカソードと電解コンデンサC1とが接続され、ダイオードD1のアノードと電解コンデンサC1の他端とが接地されている。また、トランスＴの一の出力端子である他端T2には、第１の制御回路18が接続されているとともに、制御素子25との間に、ツェナダイオードZDとダイオードD2とを備えた定電圧フィードバック回路FBが接続されている。さらに、トランスＴには、少なくとも１つ、本実施形態では１つの他の出力端子である中間タップCTが設けられ、この中間タップCTには、電解コンデンサC2が接続され、この電解コンデンサC2と並列に電圧調整部26を介して制御部20の第２の制御回路19が接続されている。そして、電解コンデンサC2と電圧調整部26とがそれぞれ接地されている。
【００１８】
制御素子25は、例えば高耐圧のＩＰＤ(インテリジェント・パワー・デバイス)であり、内部にスイッチング素子を備えており、このスイッチング素子のスイッチング動作により制御素子25に入力された電源電圧を所定の一の(第１の)出力電圧(例えば１５Ｖ)に変換し第１の制御回路18に供給する。
【００１９】
トランスＴは、本実施形態ではチョークトランスであり、他端T2が第１の制御回路18への出力端子となっているとともに、このトランスＴの中間タップCTが第２の制御回路19への出力端子となっている。この中間タップCTは、補助電源回路21からの互いに異なる出力電圧の数をｎとしたとき、(ｎ−１)個設けられる。また、この中間タップCTは、トランスＴの他端T2から出力される一の出力電圧に対する他の(第２の)出力電圧(例えば５Ｖ)の比率に応じて設けられている。
【００２０】
定電圧フィードバック回路FBのツェナダイオードZDは、カソードがトランスＴの他端T2と接続され、アノードがダイオードD2のアノードに接続されている。また、定電圧フィードバック回路FBのダイオードD2は、アノードがツェナダイオードZDのアノードと接続され、カソードが制御素子25と接続されている。
【００２１】
電圧調整部26は、トランスＴの中間タップCTから出力される出力電圧をさらに降圧して、例えば５Ｖ以下の電圧を出力するもので、例えば電圧レギュレータ(３端子レギュレータ)Ｒの入力端子と出力端子とにそれぞれコンデンサC3，C4の一端側が接続されるとともに、これらコンデンサC3，C4の他端側と電圧レギュレータＲの共通端子とが互いに接続されて接地されている。なお、この電圧調整部26は、トランスＴの他端T2からの出力電圧が第２の制御回路19の動作電圧と等しければ、必須の構成ではない。
【００２２】
次に、電源装置10の動作を説明する。
【００２３】
入力される交流電源ｅをフィルタ回路14でフィルタリングするとともに、整流平滑回路15で整流平滑し、この整流平滑した電源電圧を電力変換回路16および補助電源回路21に供給する。
【００２４】
電源電圧が供給された補助電源回路21の制御素子25が動作を開始すると、制御素子25のスイッチング素子がスイッチング動作し、第１の制御回路18の動作電圧と略等しい第１の出力電圧(例えば１５Ｖ)をトランスＴの他端T2から第１の制御回路18に供給する。このとき、トランスＴの中間タップCTには、第２の制御回路19の動作電圧よりも僅かに大きい、あるいはこの動作電圧と略等しい第２の出力電圧が生じる。この第２の出力電圧(例えば５．５Ｖ)は、電圧調整部26の電圧レギュレータＲによりさらに降圧され、第２の制御回路19の動作電圧(例えば５Ｖ)として、この第２の制御回路19に供給する。なお、この第２の制御回路19への電圧の供給は、電源電圧が継続している(停止していない)ときには維持される。したがって、第２の制御回路19への電圧は、電源装置10の待機モード時も継続される。
【００２５】
そして、動作電圧が供給された第２の制御回路19が動作を開始し、第１の制御回路18を動作させると、この第１の制御回路18が動作を開始し、この第１の制御回路18が電力変換回路16のスイッチング素子を高周波スイッチング動作させることで、ＬＥＤ12に電流が流れ、ＬＥＤ12が点灯する。
【００２６】
制御素子25は、他端T2から出力する第１の出力電圧を定電圧フィードバック回路FBにより監視し、この第１の出力電圧が一定になるように、自身のスイッチング素子のオンオフをフィードバック制御する。
【００２７】
上述したように、上記第１の実施形態によれば、電源電圧を変換して互いに異なる複数の出力電圧を制御部20の第１の制御回路18および第２の制御回路19に補助電源回路21から出力することで、例えば補助電源回路からの出力電圧を１種類としてその電圧をレギュレータなどによって電圧変換(降圧)して他の出力電圧を作る場合と比較して、レギュレータなどによる降圧率を下げることができ、電力損失を抑制でき、電源装置10を高効率化できる。
【００２８】
具体的に、補助電源回路21を降圧チョッパ回路とし、そのトランスＴに、少なくとも１つの中間タップCTを設けることで、互いに異なる複数の出力電圧を、他端T2と、中間タップCTとから出力でき、簡単な構成で容易に複数の出力電圧を補助電源回路21から出力できるとともに、中間タップCTを出力電圧比率に応じた巻数位置に設けることで、所望の出力電圧を容易に得ることができる。
【００２９】
すなわち、例えば第１の制御回路18の動作電圧が１５Ｖ、第２の制御回路19の動作電圧が５Ｖである場合、補助電源回路から１５Ｖの電圧を第１の制御回路18の出力し、その電圧をレギュレータなどによって５Ｖに降圧して第２の制御回路19に供給する場合には、１５Ｖ−５Ｖ＝１０Ｖの電圧差が生じ、この電圧差に対応した電力損失が生じるのに対して、本実施形態によれば、補助電源回路21から１５Ｖの電圧と５．５Ｖなどの電圧とを出力することで、電圧調整部26においては、５．５Ｖ−５Ｖ＝０．５Ｖの電圧差分の電力損失しか生じず、電力損失を大幅に抑制できる。
【００３０】
また、補助電源回路21が、電源電圧の供給が継続しているときには、第１の制御回路18よりも動作電圧が低く設定されている第２の制御回路19への出力を維持するので、例えば第１の制御回路18を停止させつつ、第２の制御回路19を動作させ続ける待機モードでの消費電力、すなわち待機電力が、第２の制御回路19用の、より低い電圧分に対応する電力のみで済み、待機電力を抑制できる。
【００３１】
なお、上記第１の実施形態において、図２に示す第２の実施形態のように、トランスＴを、一次巻線L1と、この一次巻線L1と磁気結合された二次巻線L2とにより構成し、一次巻線L1の一の出力端子である出力端子LT1から第１の制御回路18に一の出力電圧を出力し、二次巻線L2の他の出力端子である出力端子LT2から第２の制御回路19(電圧調整部26)に他の出力電圧を出力するようにしても同様の作用効果を奏することができる。このとき、二次巻線L2の巻数n2を一次巻線L1の巻数n1と異ならせ、巻数比n1：n2を、一の出力電圧と他の出力電圧との比に設定することで、大きな構成変更を伴うことなく、巻数比に応じた複数の異なる所望の出力電圧を簡単な構成で容易に補助電源回路21から出力できる。
【００３２】
また、電圧調整部26を介して第２の制御回路19へと出力される出力電圧は、例えば５Ｖに限らず、５Ｖ未満の３．３Ｖや１．８Ｖなど、第２の制御回路19の動作電圧の仕様に応じて任意に設定できる。この場合でも、電圧レギュレータＲの入力端子側と出力端子側との電圧差は、一の出力電圧と他の出力電圧との電圧差よりも小さい、５Ｖ未満に抑制されるため、損失が大きくなることはない。
【００３３】
さらに、上記各実施形態において、固体光源は、ＬＥＤに限らず、例えば有機ＥＬや半導体レーザなどを用いてもよい。
【００３４】
そして、負荷としては、固体光源に限らず、抵抗など、任意の負荷を用いることができる。
【００３５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３６】
10    電源装置
11    負荷
16    電力変換部としての電力変換回路
18    一の動作部としての変換制御部である第１の制御回路
19    他の動作部としての状態制御部である第２の制御回路
20    制御部
21    補助電源部としての補助電源回路
CT    他の出力端子である中間タップ
L1    一次巻線
L2    二次巻線
LT1   一の出力端子である出力端子
LT2   他の出力端子である出力端子
Ｒ 電圧レギュレータ
Ｔ    巻線であるトランス
T2    一の出力端子である他端
【図１】
0006376345.tif 000002
【図２】
0006376345.tif 000003